(57)【要約】      （修正有）【課題】地理的位置に制限されず、動的な広告を宣伝してリーチ率を改善することのできるホログラフィック投影ファンを提供する。【解決手段】ホログラフィック投影ファンは、制御基板と制御基板に電気的に接続されるモータとが設けられているベース１、ベース上を覆うカバー２及びブレード３を備え、モータの出力端はカバーの上部から外に出てブレードに接続され、カバーの上端にはモータの出力端付近に第１コイル６が埋め込まれ、ブレードの中央には接続口が設けられ、接続口の周囲に整流器及び第２コイルが埋設され、ブレードには整流器が電気的に接続されるＬＥＤライトボードが配置され、ＬＥＤライトボードはＬＥＤライトストリップに電気的に接続され、ＬＥＤライトストリップの表面に対応するブレードの表面には表示窓１２が設けられ、ブレードの側壁には、ＬＥＤライトボードに接続されるＳＤカードスロット１３が設けられる。【選択図】図１
0003220306.tif 000002
【実用新案登録請求の範囲】
【請求項１】
ホログラフィック投影ファンであって、
ファンのベース（１）と、カバー（２）と、ブレード（３）とを備え、該カバー（２）が前記ベース（１）上を覆っており、
前記ベース（１）には、制御基板（４）とモータ（５）が設けられ、
前記制御基板（４）は、前記モータ（５）に電気的に接続され、
前記モータ（５）の出力端は前記カバー（２）の上部から外に出て前記ブレード（３）に接続され、
前記カバー（２）の上端には、前記モータ（５）の出力端付近に第１コイル（６）が埋め込まれ、
前記ブレード（３）の中央には、接続口（７）が設けられ、前記ブレード（３）の前記接続口（７）の周囲に整流器（８）及び第２コイル（９）が埋設され、
前記ブレード（３）には、ＬＥＤライトボード（１０）が配置され、
前記整流器（８）は、前記ＬＥＤライトボード（１０）に電気的に接続され、かつ前記ＬＥＤライトボード（１０）は、ＬＥＤライトストリップ（１１）に電気的に接続され、
前記ＬＥＤライトストリップ（１１）の表面に対応する前記ブレードの表面には表示窓（１２）が設けられ、
前記ブレード（３）の側壁には、ＭｉｃｒｏＳＤカードを挿入可能なカードスロット（１３）が設けられ、
前記カードスロット（１３）は、前記ＬＥＤライトボード（１０）に接続される
ホログラフィック投影ファン。
【請求項２】
前記モータ（５）の位置に対応して前記ベース（１）に固定座（１４）が固定され、
前記固定座（１４）の頂部から出る前記モータ（５）の出力端が、前記接続パーツ（１５）と接続され、
前記接続口（７）の形状と前記接続パーツ（１５）の形状とは同一である
請求項１に記載のホログラフィック投影ファン。
【請求項３】
前記カバー（２）の側壁には、前記モータ（５）の位置に対応する放熱用開口部（１６）が設けられている
請求項１に記載のホログラフィック投影ファン。
【請求項４】
前記ベース（１）の底面には、Ｕ字状のカード挿し口（１７）が一体的に形成され、
前記Ｕ字状のカード挿し口（１７）には、固定部材（１９）が挿入され、
前記固定部材（１９）の側部には、接続片（２０）が一体的に延びており、
前記接続片（２０）には、ネジ穴が設けられ、
前記固定部材（１９）は、ネジと前記接続片（２０）とによって固定可能である
請求項１に記載のホログラフィック投影ファン。
【請求項５】
前記ブレード（３）は一の字形状を有し、
前記ブレード（３）の前記表示窓（１２）には、透明カバーが配置される
請求項１に記載のホログラフィック投影ファン。
【請求項６】
前記ベース（１）の底部には、電源インターフェース（２１）が設けられ、
前記電源インターフェース（２１）は、前記制御基板（４）に電気的に接続され、
前記電源インターフェース（２１）は、電源アダプタに外部接続される
請求項１に記載のホログラフィック投影ファン。
【考案の詳細な説明】
【技術分野】
【０００１】
本考案は、ホログラフィック投影技術の分野及びファン、特にホログラフィ投影ファンに関する。
【背景技術】
【０００２】
プロモーション効果を得るため、一般的な広告は、建物上にある大画面ディスプレイへの表示やポスターなどの貼付で行われる。前者は、地理的な場所の制限があり、都市部繁華街に集中する建物に配置される。後者は、リーチ率が低く、デジタル化は実現しにくく、さらに手作業で交換する必要があり、リモート管理することができず、便利なサービスを提供することができない。
【考案の概要】
【考案が解決しようとする課題】
【０００３】
本考案の解決課題は、地理的位置に制限されず、動的な広告を宣伝してリーチ率を改善することのできるホログラフィック投影ファンを提供することである。
【課題を解決するための手段】
【０００４】
上記の技術的問題を解決するために、本考案が提供するホログラフィック投影ファンは、ファンのベースと、カバーと、ブレードとを備え、該カバーが前記ベース上を覆っており、前記ベースには、制御基板とモータが設けられ、前記制御基板は、前記モータに電気的に接続され、前記モータの出力端は前記カバーの上部から外に出て前記ブレードに接続され、前記カバーの上端には、前記モータの出力端付近に第１コイルが埋め込まれ、前記ブレードの中央には、接続口が設けられ、前記ブレードの前記接続口の周囲に整流器及び第２コイルが埋設され、前記ブレードには、ＬＥＤライトボードが配置され、前記整流器は、前記ＬＥＤライトボードに電気的に接続され、かつ前記ＬＥＤライトボードは、ＬＥＤライトストリップに電気的に接続され、前記ＬＥＤライトストリップの表面に対応する前記ブレードの表面には表示窓が設けられ、前記ブレードの側壁には、ＳＤカードを挿入可能なカードスロットが設けられ、前記カードスロットは、前記ＬＥＤライトボードに接続される。
【０００５】
また、前記モータの位置に対応して前記ベースに固定座が固定され、前記固定座の頂部から出る前記モータの出力端が、前記接続パーツと接続され、前記接続口の形状と前記接続パーツの形状とは同一であり、前記ブレードが前記モータに回転可能に接続される。
【０００６】
また、前記カバーの側壁には、前記モータの位置に対応する放熱用開口部が設けられているので、放熱効果が得られ、モータを保護することができる。
【０００７】
また、前記ベースの底面には、Ｕ字状のカード挿し口が一体的に形成され、前記Ｕ字状のカード挿し口には、固定部材が挿入され、前記固定部材の側部には、接続片が一体的に延びており、前記接続片には、ネジ穴が設けられ、前記固定部材は、ネジと前記接続片とによって固定可能であることで、ホログラフィック投影ファンを容易に取り付けることができる。
【０００８】
また、前記ブレードは一の字形状を有し、前記ブレードの前記表示窓に、透明カバーが配置されることにより、ＬＥＤライトボードとＬＥＤライトストリップとを保護する効果を奏する。
【０００９】
また、前記ベースの底部には、電源インターフェースが設けられ、前記電源インターフェースは、前記制御基板に電気的に接続され、前記電源インターフェースは、電源アダプタに外部接続される。
【考案の効果】
【００１０】
本考案によれば、従来技術と比較して、ＬＥＤライトストリップとブレードとともに回転し、人間の視力の原理を利用して、ＬＥＤライトストリップとブレードとでグラフィックスやアニメーションを形成することができる。建物内の換気機能も有し、建物やその他の空間で半永久的に設置することができ、広告のリーチ率を高める効果も期待することができる。また、本考案によれば、ＳＤカード認識機能が搭載されているため、必要に応じてリアルタイムでコンテンツを置き換えることができる。本考案によれば、合理的でニーズに応えたデザインであるため、プロモーションに適している。
【図面の簡単な説明】
【００１１】
【図１】図１は、本考案の構造の概略図である。
【図２】図２は、本考案のベースの概略構造図である。
【図３】図３は、本考案のベースと固定部材の下面の概略構成図である。
【図４】図４は、本考案のＬＥＤライトボード及びＬＥＤライトストリップの概略構成図である。
【図５】図５は、本考案のカバーの構造を示す概略図である。
【考案を実施するための形態】
【００１２】
図１〜５に示すように、本考案に係るホログラフィック投影ファンは、ファンのベース１と、カバー２と、ブレード３とを備え、カバー２がベース１上を覆っている。ベース１には、制御基板４とモータ５が設けられ、制御基板４は、モータ５に電気的に接続されている。モータ５の位置に対応してベース１に固定座１４が固定されている。固定座１４の頂部から出るモータ５の出力端は、接続パーツ１５と接続されている。接続口７の形状と接続パーツ１５の形状とは同一である。モータ５の出力端は、カバー２の上部から外に出てブレード３に接続されている。カバー２の上端には、モータ５の出力端付近に第１コイル６が埋め込まれ、ブレード３の中央には、接続口７が設けられ、ブレード３の接続口７の周囲に整流器８及び第２コイル９が埋設されている。ブレード３には、ＬＥＤライトボード１０が配置され、整流器８は、ＬＥＤライトボード１０に電気的に接続され、かつＬＥＤライトボード１０は、ＬＥＤライトストリップ１１に電気的に接続されている。ＬＥＤライトストリップ１１の表面に対応するブレード３の表面には表示窓１２が設けられ、ブレード３は一の字形状を有し、表示窓１２には、透明カバーが配置されている。ブレード３の側壁には、ＭｉｃｒｏＳＤカードを挿入可能なカードスロット１３が設けられ、カードスロット１３は、ＬＥＤライトボード１０に接続される。カバー２の側壁には、モータ５の位置に対応する放熱用開口部１６が設けられている。ベース１の底面には、Ｕ字状のカード挿し口１７が一体的に形成され、Ｕ字状のカード挿し口１７には、固定部材１９が挿入される。固定部材１９の側部には、接続片２０が一体的に延びており、接続片２０には、ネジ穴が設けられ、固定部材１９は、ネジと接続片２０とによって固定可能である。ベース１の底部には、電源インターフェース２１が設けられている。電源インターフェース２１は、制御基板４に電気的に接続され、電源アダプタに外部接続される。
【００１３】
本考案によれば、ＬＥＤライトストリップとブレードとともに回転し、人間の視力の原理を利用して、ＬＥＤライトストリップとブレードとでグラフィックスやアニメーションを形成することができる。建物内の換気機能も有し、建物やその他の空間で半永久的に設置することができ、広告のリーチ率を高める効果も期待することができる。また、本考案によれば、ＭｉｃｒｏＳＤカード認識機能が搭載されているため、必要に応じてリアルタイムでコンテンツを置き換えることができる。本考案によれば、合理的でニーズに応えたデザインであるため、プロモーションに適している。
【００１４】
最後に、上記実施形態は、本考案の技術的解決策を説明するためのものであって、これに限定されるものではなく、上記実施形態を参照して本考案を詳細に説明したが、当業者であれば、上述した実施形態で説明した技術的解決策を変更したり、技術的特徴の一部を等価的に置き換えたりすることが可能であり、その変形や置き換えは本考案の技術的思想の趣旨や範囲を逸脱するものではない。
【図１】
0003220306.tif 000003
【図２】
0003220306.tif 000004
【図３】
0003220306.tif 000005
【図４】
0003220306.tif 000006
【図５】
0003220306.tif 000007
【手続補正書】
【提出日】平成30年12月19日(2018.12.19)
【手続補正１】
【補正対象書類名】実用新案登録請求の範囲
【補正対象項目名】全文
【補正方法】変更
【補正の内容】
【実用新案登録請求の範囲】
【請求項１】
ホログラフィック投影ファンであって、
ファンのベース（１）と、カバー（２）と、ブレード（３）とを備え、該カバー（２）が前記ベース（１）上を覆っており、
前記ベース（１）には、制御基板（４）とモータ（５）が設けられ、
前記制御基板（４）は、前記モータ（５）に電気的に接続され、
前記モータ（５）の出力端は前記カバー（２）の上部から外に出て前記ブレード（３）に接続され、
前記カバー（２）の上端には、前記モータ（５）の出力端付近に第１コイル（６）が埋め込まれ、
前記ブレード（３）の中央には、接続口（７）が設けられ、前記ブレード（３）の前記接続口（７）の周囲に整流器（８）及び第２コイル（９）が埋設され、
前記ブレード（３）には、ＬＥＤライトボード（１０）が配置され、
前記整流器（８）は、前記ＬＥＤライトボード（１０）に電気的に接続され、かつ前記ＬＥＤライトボード（１０）は、ＬＥＤライトストリップ（１１）に電気的に接続され、
前記ＬＥＤライトストリップ（１１）の表面に対応する前記ブレードの表面には表示窓（１２）が設けられ、
前記ブレード（３）の側壁には、ＭｉｃｒｏＳＤカードを挿入可能なカードスロット（１３）が設けられ、
前記カードスロット（１３）は、前記ＬＥＤライトボード（１０）に接続される
ホログラフィック投影ファン。
【請求項２】
前記モータ（５）の位置に対応して前記ベース（１）に固定座（１４）が固定され、
前記固定座（１４）の頂部から出る前記モータ（５）の出力端が、接続パーツ（１５）と接続され、
前記接続口（７）の形状と前記接続パーツ（１５）の形状とは同一である
請求項１に記載のホログラフィック投影ファン。
【請求項３】
前記カバー（２）の側壁には、前記モータ（５）の位置に対応する放熱用開口部（１６）が設けられている
請求項１に記載のホログラフィック投影ファン。
【請求項４】
前記ベース（１）の底面には、Ｕ字状のカード挿し口（１７）が一体的に形成され、
前記Ｕ字状のカード挿し口（１７）には、固定部材（１９）が挿入され、
前記固定部材（１９）の側部には、接続片（２０）が一体的に延びており、
前記接続片（２０）には、ネジ穴が設けられ、
前記固定部材（１９）は、ネジと前記接続片（２０）とによって固定可能である
請求項１に記載のホログラフィック投影ファン。
【請求項５】
前記ブレード（３）は一の字形状を有し、
前記ブレード（３）の前記表示窓（１２）には、透明カバーが配置される
請求項１に記載のホログラフィック投影ファン。
【請求項６】
前記ベース（１）の底部には、電源インターフェース（２１）が設けられ、
前記電源インターフェース（２１）は、前記制御基板（４）に電気的に接続され、
前記電源インターフェース（２１）は、電源アダプタに外部接続される
請求項１に記載のホログラフィック投影ファン。